(57)【要約】【課題】散布ノズル装置による散布量の調節を容易に行うことができるとともに、該散布ノズル装置の取り付け構造の簡略化を図ること。【解決手段】散布ノズル装置３０は、クリップ機構４０と噴霧用ノズル５２と噴霧量調節機構５３とを含む。該クリップ機構は、支点４１を中心としてスイング可能な一対の挟み込み部４２，４３を有し、該一対の挟み込み部によって被取付物１５を両側から挟み込むことにより、該被取付物に保持可能である。噴霧用ノズルと、噴霧量調節機構とは、該クリップ機構に組み込まれている。該噴霧量調節機構は、一対の挟み込み部のスイング動作に連動して、噴霧用ノズルから噴霧される液体の噴霧量を調節することが可能である。【選択図】図３
2016063775.tif 000002
【特許請求の範囲】
【請求項１】
液体を散布するための散布ノズル装置において、
支点を中心としてスイング可能な一対の挟み込み部を有し、該一対の挟み込み部によって被取付物を両側から挟み込むことにより、該被取付物に保持可能なクリップ機構と、
該クリップ機構に組み込まれて前記液体を噴霧する噴霧用ノズルと、
該噴霧用ノズルから前記液体を噴霧する噴霧量を調節可能な噴霧量調節機構とを含み、
該噴霧量調節機構は、前記一対の挟み込み部のスイング動作に連動可能に、前記クリップ機構に組み込まれていることを特徴とする散布ノズル装置。
【請求項２】
前記被取付物は、請求項１記載の散布ノズル装置の前記一対の挟み込み部によって挟み込み可能な複数の被取り付け部位を有し、
該複数の被取り付け部位は、前記一対の挟み込み部によって挟み込まれる被挟み厚さが互いに異なっていることを特徴とする散布ノズル装置を取り付ける被取付物。
【請求項３】
前記複数の被取り付け部位は、前記被取付物の先端又は先端近傍に位置した前記被挟み厚さの小さい方から、大きくなる方向へ、一列に配列されるとともに、全体を段状又は連続した傾斜状に形成されていることを特徴とする請求項２記載の散布ノズル装置を取り付ける被取付物。
【請求項４】
前記被取付物は、作業機の機体の一部であることを特徴とする請求項２又は請求項３記載の散布ノズル装置を取り付ける被取付物。
【請求項５】
前記作業機は、耕耘機であり、
前記機体の一部は、前記耕耘機の耕耘爪の上を覆っているフェンダであることを特徴とする請求項２〜４のいずれか１項記載の散布ノズル装置を取り付ける被取付物。
【発明の詳細な説明】
【技術分野】
【０００１】
本発明は、液体を散布するときに用いられる散布ノズル装置、及び該散布ノズル装置を取り付けるための被取付物の、改良技術に関する。
【背景技術】
【０００２】
近年、例えば、農作業をしながら水や農薬等の液体を同時に散布する技術の開発が、進められている。このような技術は、例えば特許文献１によって知られている。
【０００３】
特許文献１で知られている技術は、耕耘機の機体の前部に、散布ノズル装置を取り付けたというものである。該散布ノズル装置は、耕耘爪の前上方に位置している。詳しく述べると、該機体の前部から前方へアームが延びている。機体に対するアームの長手方向の取り付け位置は、作業者によって調節可能である。アームの先端には、機体の幅方向に細長い水平バーが設けられている。該水平バーには、複数の散布ノズル装置が首振り可能に、且つ該水平バーの長手方向に位置調整可能に設けられている。該複数の散布ノズル装置の首振り角度や横方向の取り付け位置は、作業者によって調節可能である。従って、作業者は、散布する液体の種類や耕耘する土壌の状態に応じて、耕耘機に対する複数の散布ノズル装置の位置や角度を、調整することができる。
【０００４】
しかし、該複数の散布ノズル装置の散布量については、作業者が別個に調整する必要がある。作業者は、散布する液体の種類や耕耘する土壌の状態に応じて、その都度、バルブを調整することにより、散布量を微調整することになる。これでは、調節作業が面倒であり、また、農作業の作業効率を高める上で不利である。しかも、機体に対する該複数の散布ノズル装置の取り付け構造が複雑であり、構成部品も多くコストアップの要因となる。
【先行技術文献】
【特許文献】
【０００５】
【特許文献１】特開２００４−２２２５８０号公報
【発明の概要】
【発明が解決しようとする課題】
【０００６】
本発明は、散布ノズル装置による散布量の調節を容易に行うことができるとともに、該散布ノズル装置の取り付け構造の簡略化を図ることができる技術を、提供することを課題とする。
【課題を解決するための手段】
【０００７】
請求項１に係る発明によれば、液体を散布するための散布ノズル装置において、支点を中心としてスイング可能な一対の挟み込み部を有し、該一対の挟み込み部によって被取付物を両側から挟み込むことにより、該被取付物に保持可能なクリップ機構と、該クリップ機構に組み込まれて前記液体を噴霧する噴霧用ノズルと、該噴霧用ノズルから前記液体を噴霧する噴霧量を調節可能な噴霧量調節機構とを含み、該噴霧量調節機構は、前記一対の挟み込み部のスイング動作に連動可能に、前記クリップ機構に組み込まれていることを特徴とする散布ノズル装置が提供される。
【０００８】
請求項２に記載のごとく、好ましくは、前記被取付物は、請求項１記載の散布ノズル装置の前記一対の挟み込み部によって挟み込み可能な複数の被取り付け部位を有し、該複数の被取り付け部位は、前記一対の挟み込み部によって挟み込まれる被挟み厚さが互いに異なっている。
【０００９】
請求項３に記載のごとく、さらに好ましくは、前記複数の被取り付け部位は、前記被取付物の先端又は先端近傍に位置した前記被挟み厚さの小さい方から、大きくなる方向へ、一列に配列されるとともに、全体を段状又は連続した傾斜状に形成されている。
【００１０】
請求項４に記載のごとく、さらに好ましくは、前記被取付物は、作業機の機体の一部である。
【００１１】
請求項５に記載のごとく、さらに好ましくは、前記作業機は、耕耘機であり、前記機体の一部は、前記耕耘機の耕耘爪の上を覆っているフェンダである。
【発明の効果】
【００１２】
請求項１に係る発明では、被取付物に対して保持可能なクリップ機構に、噴霧用ノズルと噴霧量調節機構とが組み込まれている。該クリップ機構は、支点を中心としてスイング可能な一対の挟み込み部を有する。このため、一対の挟み込み部によって被取付物を挟み込むだけの、簡単な操作により、散布ノズル装置は該被取付物に保持される。
【００１３】
しかも、該噴霧量調節機構は、一対の挟み込み部のスイング動作（開閉動作）に連動して、噴霧用ノズルから噴霧される液体の噴霧量を調節する。つまり、一対の挟み込み部の開き角（スイング角）は、次の３つの手法によって変化する。第１に、被取付物のなかの、一対の挟み込み部により挟み込まれる被挟み厚さに従って、開き角が変化する。第２に、被取付物に対する、一対の挟み込み部の挟み込み深さに従って、開き角が変化する。第３に、前記第１と第２との複合によって、開き角が変化する。
【００１４】
このため、該噴霧量調節機構は、該開き角に従って、噴霧量を自動的に調節する。従って、作業者は、被取付物のなかの、挟み込む部位を適宜選択して、一対の挟み込み部により挟み込むという作業だけによって、噴霧量を調節することができる（半自動的に調節できる）。
【００１５】
つまり、該一対の挟み込み部によって、被取付物を一度挟み込んでしまえば、挟み直すまで、噴射量をそのまま設定した状態に維持することができる。作業者は、噴霧量を調節するための別個の操作をする必要がないので、噴霧量の調節に気を遣わずにすみ、散布ノズル装置による散布量の調節を、容易に行うことができる。そして、作業者は、作業をしながら、液体を同時に散布することができる。
【００１６】
例えば、農作業をしながら水や農薬等の液体を同時に散布するときに、散布ノズル装置を用いる。作業者は、散布する液体の種類や耕耘する土壌の状態に応じて、噴霧量を調節する。このときに、作業者は被取付物を挟み直すだけでよい。農作業の作業効率を高める上で有利である。
【００１７】
さらには、クリップ機構は、一対の挟み込み部を有するだけである。このため、散布ノズル装置の取り付け構造の簡略化を図ることができる。
【００１８】
請求項２に係る発明では、被取付物の、複数の被取り付け部位の被挟み厚さが、互いに異なっている。このため、複数の被取り付け部位のなかから、任意の１つを選択して、一対の挟み込み部によって挟み込むことにより、該一対の挟み込み部の開き角を変えることができる。噴霧量調節機構は、該開き角の変化に連動して液体の噴霧量を調節する。このように、作業者は、複数の被取り付け部位のなかの１つを選択して、一対の挟み込み部によって挟み込むという、簡単な操作によって、液体の噴霧量を容易に調節することができる。
【００１９】
請求項３に係る発明では、複数の被取り付け部位は、被取付物の先端又は先端近傍に位置した被挟み厚さの小さい方から、大きくなる方向へ、一列に配列されている。そして、複数の被取り付け部位は、全体を段状又は連続した傾斜状に形成されている。このため、被取付物に対する、一対の挟み込み部の挟み込み深さを変えることによって、該一対の挟み込み部の開き角が変化する。該噴霧量調節機構は、該開き角に従って、噴霧量を自動的に調節する。従って、作業者は、被取付物に対する、一対の挟み込み部の挟み込み深さを変えるという、簡単な作業だけによって、噴霧量を容易に調節することができる。
【００２０】
請求項４に係る発明では、作業機の機体の一部に散布ノズル装置を取り付けることができる。このため、作業者は、作業機によって作業をしながら、液体を同時に散布することができる。
【００２１】
請求項５に係る発明では、耕耘機のフェンダの縁に散布ノズル装置を取り付けることができる。このため、作業者は、耕耘機によって農作業をしながら、水や農薬等の液体を同時に散布することができる。しかも、耕耘爪の上を覆っているフェンダの、全周のなかの任意の位置に、散布ノズル装置を取り付けることができる。このため、散布する液体の種類や、耕耘する土壌の状態、耕耘状況に応じて、自由に散布ノズル装置の保持位置を設定するとともに、同時に噴霧量をも設定することができる。
【図面の簡単な説明】
【００２２】
【図１】本発明に係る作業機（耕耘機）の側面図である。
【図２】図１に示されるフェンダに散布ノズル装置を取り付けた状態の斜視図である。
【図３】図２に示される散布ノズル装置のクリップ機構と噴霧部との関係を説明する説明図である。
【図４】図３に示される散布ノズル装置によって異なる被挟み厚さの被取り付け部位を挟み込んでいる状態の説明図である。
【図５】図３に示される散布ノズル装置によって被取り付け部位の異なる挟み込み深さを挟み込んでいる状態の説明図である。
【図６】図２に示されるフェンダの被取り付け部位の変形例の断面図である。
【発明を実施するための形態】
【００２３】
本発明を実施するための形態を添付図に基づいて以下に説明する。
【実施例】
【００２４】
実施例に係る散布ノズル装置及び散布ノズル装置を取り付ける被取付物について図面に基づき説明する。以下、散布ノズル装置を取り付けるための、被取付物の一例として耕耘機について説明する。なお、該被取付物は耕耘機に限定されるものではない。なお、耕耘機の「前」、「後」、「左」、「右」、「上」、「下」は耕耘機を操縦している作業者から見た方向に従う。
【００２５】
図１に示されるように、耕耘機１０は、機体１１と、該機体１１の上に設けられた動力源１２と、該機体１１の下に設けられた水平な耕耘軸１３と、該耕耘軸１３に設けられた複数の耕耘爪１４と、該複数の耕耘爪１４の上を覆っているフェンダ１５と、該機体１１から後上方へ延びた操作ハンドル１６とを含む。
【００２６】
該動力源１２は、例えばエンジンや電動モータによって構成される。該動力源１２が発生した動力は、伝動機構（図示せず）及び耕耘軸１３を介して複数の耕耘爪１４に伝達される。このような構成の耕耘機１０は、複数の耕耘爪１４の回転により農地などの土壌を耕耘し、さらに複数の耕耘爪１４により走行する形式の、歩行型自走式耕耘機である。
【００２７】
該フェンダ１５は、該複数の耕耘爪１４の上を覆っている、樹脂製の土砂飛散防止カバーである。該複数の耕耘爪１４の上をフェンダ１５によって覆うことにより、耕耘された土砂の飛散を防止することができる。該フェンダ１５は、機体１１の上部に設けられるので、機体１１の一部であると、いうことができる。
【００２８】
上述のように、該複数の耕耘爪１４は、農作業をするための作業部の役割を果たす。該複数の耕耘爪１４（作業部１４）を備えた耕耘機１０は、作業機の一種である。以下、耕耘機１０のことを、適宜「作業機１０」と言い換える。
【００２９】
さらに、該機体１１の上には、液体タンク２１とポンプ２２とが設けられている。該ポンプ２２は、動力源１２によって駆動される。動力源１２と液体タンク２１とポンプ２２とは、フェンダ１５よりも上に位置している。
【００３０】
該液体タンク２１内の液体、例えば水や農薬は、ポンプ２２によりホース２３を介して散布ノズル装置３０に供給される。該散布ノズル装置３０は、該液体を散布するためのものであり、例えば、図２に示されるようにフェンダ１５の縁の任意の位置に、取り外し可能に取り付けられる。
【００３１】
図３に示されるように、該散布ノズル装置３０は、クリップ機構４０と噴霧用ノズル５２と噴霧量調節機構５３とを含む。
【００３２】
該クリップ機構４０は、支点４１（軸４１）を中心としてスイング可能な一対の挟み込み部４２，４３を有する。より詳しく述べると、該クリップ機構４０は、支点となる該軸４１と、該一対の挟み込み部４２，４３と、該一対の挟み込み部４２，４３を挟み込み方向（閉方向）に付勢する付勢部材４４とからなる。
【００３３】
該一対の挟み込み部４２，４３は、該軸４１に対し該一対の挟み込み面４２ａ，４３ａとは反対側に位置する一対の押圧部４５，４６を有する。該一対の押圧部４５，４６は、手によって該一対の挟み込み面４２ａ，４３ａを開く方向に押すための部分であって、該一対の挟み込み部４２，４３に一体に形成されている。該一対の押圧部４５，４６を力点とし、該一対の挟み込み面４２ａ，４３ａとする。
【００３４】
付勢部材４４の付勢力に抗して、該一対の押圧部４５，４６に互いに接近する方向に力を加えることにより、該一対の挟み込み面４２ａ，４３ａは開く。該一対の押圧部４５，４６から手を離すことにより、該一対の挟み込み面４２ａ，４３ａは付勢部材４４の付勢力によって閉じる。付勢部材４４は、例えば捩りバネによって構成される。
【００３５】
このため、図２に示されるように、該一対の挟み込み部４２，４３によって、フェンダ１５を両側から挟み込むことにより、該クリップ機構４０は該フェンダ１５に保持可能である。つまり、該散布ノズル装置３０は、フェンダ１５の外周の縁のなかの、任意の位置、例えば複数の被取り付け部位１５ａ，１５ｂ，１５ｃ，・・・に、着脱可能に保持することが可能である。フェンダ１５の前縁の被取り付け部位１５ａに、該散布ノズル装置３０を保持すれば、耕耘機１０の前方へ液体を散布することができる。また、フェンダ１５の後縁の被取り付け部位１５ｂに、該散布ノズル装置３０を保持すれば、耕耘機１０の後方へ液体を散布することができる。また、フェンダ１５の左右の側縁の被取り付け部位１５ｃに、該散布ノズル装置３０を保持すれば、耕耘機１０の側方へ液体を散布することができる。
【００３６】
該フェンダ１５は、クリップ機構４０が取り付けられる被取付物である。以下、該フェンダ１５のことを、適宜「被取付物１５」と言い換える。上述のように、該被取付物１５は、作業機１０の機体１１の一部である。
【００３７】
より詳しく述べると、被取付物１５（該フェンダ１５）は、該散布ノズル装置３０の一対の挟み込み部４２，４３によって挟み込み可能な複数の被取り付け部位１５ａ，１５ｂ，１５ｃ，・・・を有する。該複数の被取り付け部位１５ａ，１５ｂ，１５ｃ，・・・は、一対の挟み込み部４２，４３によって挟み込まれる被挟み厚さが互いに異なっている。例えば、被取り付け部位１５ａ、被取り付け部位１５ｂ、被取り付け部位１５ｃ、・・・の順に、該被挟み厚さが大きくなるように設定される。
【００３８】
図３に示されるように、該軸４１は、該一対の挟み込み部４２，４３のスイング運動の支点となるとともに、該一対の挟み込み部４２，４３のスイング動作に連動して回転可能である。例えば、該一対の挟み込み部４２，４３のなかの、いずれか一方のことを「一方の挟み込み部４２」とし、いずれか他方のことを「他方の挟み込み部４３」とする。該軸４１は、該一方の挟み込み部４２に回転可能に支持される。該他方の挟み込み部４３は、該軸４１に固定される。このため、該一方の挟み込み部４２に対し、該軸４１を支点として、該他方の挟み込み部４３がスイング運動をしたときに、該スイング運動に連動して該軸が回る。
【００３９】
該クリップ機構４０は、一対の挟み込み部４２，４３の各々の挟み込み面４２ａ，４３ａを、互いに対向し合う一対の波形状に形成された、いわゆる「鰐口クリップ」によって構成される。このため、一対の挟み込み部４２，４３の開き角の範囲内であれば、被取付物１５の種類や形状、大きさにかかわらず、該被取付物１５を挟み込んで確実に保持することができる。しかも、被取付物１５が振動した場合であっても、クリップ機構４０は該被取付物１５から外れにくい。
【００４０】
さらに、クリップ機構４０には、噴霧部５０が組み込まれている。該噴霧部５０は、噴霧本体部５１と、噴霧用ノズル５２と噴霧量調節機構５３とを含む。該噴霧本体部５１は、例えば該一方の挟み込み部４２に対して、一体成形等によって一体的に構成されている。該噴霧本体部５１は、液体を通すための液通路５１ａを有する。該液通路５１ａは、ポンプ２２の吐出口２２ａにホース２３によって接続されている。該噴霧用ノズル５２は、該噴霧本体部５１の先端に有し、該液通路５１ａに連通しており、液体を噴霧することが可能である。このような該噴霧用ノズル５２は、例えば、一対の挟み込み部４２，４３に対し、反対側へ液体を噴霧することが可能である。
【００４１】
該噴霧量調節機構５３は、一対の挟み込み部４２，４３のスイング動作に連動して、該噴霧用ノズル５２から液体を噴霧する噴霧量を調節可能であり、例えばバタフライ弁等の弁によって構成される。詳しく述べると、該噴霧量調節機構５３は、クリップ機構４０の軸４１に連結された弁体５４を含む。該弁体５４は、例えば液通路５１ａ内に設けられて、該軸４１と共に回転可能な、バタフライ式弁体によって構成される。一対の挟み込み部４２，４３の一対の挟み込み面４２ａ，４３ａが、完全に閉じているときに、該弁体５４の開度は、零（全閉状態）となるように設定されている。なお、該噴霧量調節機構５３は、該噴霧本体部５１の外部、例えば該液通路５１ａの入口に組み込まれる構成を含む。
【００４２】
このように、噴霧用ノズル５２と噴霧量調節機構５３とは、クリップ機構４０に組み込まれている。クリップ機構４０は、一対の挟み込み部４２，４３を有するだけである。このため、散布ノズル装置３０の取り付け構造の簡略化を図ることができる。
【００４３】
次に、上記構成の散布ノズル装置３０及び被取付物１５の作用について説明する。図４に示される第１の取付手法、及び図５に示される第２の取付手法により、該噴霧量調節機構５３は、一対の挟み込み部４２，４３のスイング動作（開閉動作）に連動して、噴霧用ノズル５２から噴霧される液体の噴霧量を調節する。
【００４４】
図４（ａ）は、一対の挟み込み部４２，４３の一対の挟み込み面４２ａ，４３ａが、完全に閉じている状態を示す。この状態では、該弁体５４の開度は、零（全閉状態）である。
【００４５】
図４（ｂ）は、被取付物１５のなかの、被挟み厚さｔ１が小さい被取り付け部位１５ａを、一対の挟み込み部４２，４３によって挟み込んでいる状態を示す。被挟み厚さｔ１が小さいので、一対の挟み込み部４２，４３の開き角θ１（スイング角θ１）は小さい。このため、一対の挟み込み部４２，４３のスイング動作に連動する、噴霧量調節機構５３の開度は小さい。この結果、噴霧用ノズル５２から噴霧される液体の噴霧量は少ない。
【００４６】
図４（ｃ）は、被取付物１５のなかの、被挟み厚さｔ２が大きい被取り付け部位１５ｂを、一対の挟み込み部４２，４３によって挟み込んでいる状態を示す。被挟み厚さｔ２が大きいので、一対の挟み込み部４２，４３の開き角θ２（スイング角θ２）は大きい。このため、一対の挟み込み部４２，４３のスイング動作に連動する、噴霧量調節機構５３の開度は大きい。この結果、噴霧用ノズル５２から噴霧される液体の噴霧量は多い。
【００４７】
このように、被取付物１５のなかの、一対の挟み込み部４２，４３により挟み込まれる被挟み厚さｔ１，ｔ２に従って、開き角θ１，θ２が変化する。この結果、噴霧量調節機構５３の開度が変化することにより、噴霧用ノズル５２から噴霧される液体の噴霧量が変化する。
【００４８】
つまり、図２及び図４に示されるように、被取付物１５の、複数の被取り付け部位１５ａ，１５ｂ，１５ｃ，・・・の被挟み厚さｔ１，ｔ２，・・・が、互いに異なっている。このため、複数の被取り付け部位１５ａ，１５ｂ，・・・のなかから、任意の１つを選択して、一対の挟み込み部４２，４３によって挟み込むことにより、該一対の挟み込み部４２，４３の開き角θ１，θ２，・・・を変えることができる。噴霧量調節機構５３は、該開き角θ１，θ２，・・・の変化に連動して液体の噴霧量を調節する。このように、作業者は、複数の被取り付け部位１５ａ，１５ｂ，・・・のなかの１つを選択して、一対の挟み込み部４２，４３によって挟み込むという、簡単な操作によって、液体の噴霧量を容易に調節することができる。
【００４９】
図５（ａ）は、一対の挟み込み部４２，４３の一対の挟み込み面４２ａ，４３ａが、完全に閉じている状態を示す。この状態では、該弁体５４の開度は、零（全閉状態）である。
【００５０】
図５（ｂ）は、被取付物１５のなかの、被挟み厚さがｔ１である被取り付け部位１５ａを、一対の挟み込み部４２，４３によって挟み込んでいる状態を示す。このときに、一対の挟み込み部４２，４３は、被取り付け部位１５ａの先端１５ａｅ、つまり被取付物１５の先端１５ａｅから奥へ距離Ｌ１１（挟み込み深さＬ１１）だけ、挟み込んでいる。該挟み込み深さＬ１１が小さいので、一対の挟み込み部４２，４３の開き角θ１１（スイング角θ１１）は小さい。このため、一対の挟み込み部４２，４３のスイング動作に連動する、噴霧量調節機構５３の開度は小さい。この結果、噴霧用ノズル５２から噴霧される液体の噴霧量は少ない。
【００５１】
図５（ｃ）は、被取付物１５のなかの、被挟み厚さがｔ１である被取り付け部位１５ａを、一対の挟み込み部４２，４３によって挟み込んでいる状態を示す。このときに、一対の挟み込み部４２，４３は、被取り付け部位１５ａの先端１５ａｅ、つまり被取付物１５の先端１５ａｅから奥へ距離Ｌ１２（挟み込み深さＬ１２）だけ、挟み込んでいる。該挟み込み深さＬ１２は、上記図５（ｂ）に示される該挟み込み深さＬ１１よりも大きい。該挟み込み深さＬ１２が大きいので、一対の挟み込み部４２，４３の開き角θ１２（スイング角θ１２）は大きい。このため、一対の挟み込み部４２，４３のスイング動作に連動する、噴霧量調節機構５３の開度は大きい。この結果、噴霧用ノズル５２から噴霧される液体の噴霧量は多い。
【００５２】
このように、被取付物１５に対する、一対の挟み込み部４２，４３の挟み込み深さＬ１，Ｌ２に従って、開き角θ１１，θ１２が変化する。この結果、噴霧量調節機構５３の開度が変化することにより、噴霧用ノズル５２から噴霧される液体の噴霧量が変化する。従って、作業者は、被取付物１５に対する、一対の挟み込み部４２，４３の挟み込み深さＬ１１，Ｌ１２を変えるという、簡単な作業だけによって、噴霧量を容易に調節することができる。
【００５３】
また、図２及び図４に示される第１の取付手法と、図５に示される第２の取付手法との複合である第３の取付手法によって、一対の挟み込み部４２，４３の開き角が変化する。
【００５４】
該噴霧量調節機構５３は、これらの開き角に従って、噴霧量を自動的に調節する。従って、作業者は、被取付物１５のなかの、挟み込む部位１５ａ，１５ｂ，１５ｃ，・・・（複数の被取り付け部位１５ａ，１５ｂ，１５ｃ，・・・）を適宜選択して、一対の挟み込み部４２，４３により挟み込むという作業だけによって、噴霧量を調節することができる（半自動的に調節できる）。
【００５５】
つまり、該一対の挟み込み部４２，４３によって、被取付物１５を一度挟み込んでしまえば、挟み直すまで、噴射量をそのまま設定した状態に維持することができる。作業者は、噴霧量を調節するための別個の操作をする必要がないので、噴霧量の調節に気を遣わずにすみ、散布ノズル装置３０による散布量の調節を、容易に行うことができる。そして、作業者は、作業をしながら、液体を同時に散布することができる。
【００５６】
例えば、農作業をしながら水や農薬等の液体を同時に散布するときに、散布ノズル装置３０を用いる。作業者は、散布する液体の種類や耕耘する土壌の状態に応じて、噴霧量を調節する。このときに、作業者は被取付物１５を挟み直すだけでよい。農作業の作業効率を高める上で有利である。
【００５７】
しかも、該一対の挟み込み部４２，４３によって被取付物１５を挟み込むだけの、簡単な操作により、散布ノズル装置３０は該被取付物１５に保持される。
【００５８】
さらには、図２に示されるように、作業機１０の機体１１の一部に散布ノズル装置３０を取り付けることができる。このため、作業者は、作業機１０によって作業をしながら、液体を同時に散布することができる。
【００５９】
さらには、耕耘機１０のフェンダ１５の縁に散布ノズル装置３０を取り付けることができる。このため、作業者は、耕耘機１０によって農作業をしながら、水や農薬等の液体を同時に散布することができる。しかも、耕耘爪１４の上を覆っているフェンダ１５の、全周のなかの任意の位置に、散布ノズル装置３０を取り付けることができる。このため、散布する液体の種類や、耕耘する土壌の状態、耕耘状況に応じて、自由に散布ノズル装置３０の保持位置を設定するとともに、同時に噴霧量をも設定することができる。
【００６０】
図６は、該被取付物１５の変形例を示している。変形例の複数の被取り付け部位１５ａ１，１５ａ２，１５ａ３は、被取り付け部位１５ａの先端１５ａｅ、つまり被取付物１５の先端１５ａｅ又は先端近傍に位置した被挟み厚さｔ２１，ｔ２２，ｔ２３の小さい方から、大きくなる方向へ、一列に配列されている。
【００６１】
より詳しく述べると、第１の被取り付け部位１５ａ１は、被取り付け部位１５ａの先端１５ａｅ、つまり被取付物１５の先端１５ａｅに位置しており、被挟み厚さｔ２１が小さい。第２の被取り付け部位１５ａ２は、第１の被取り付け部位１５ａ１よりも被取り付け部位１５ａの先端１５ａｅから離れて位置しており、被挟み厚さｔ２２が中くらいである。第３の被取り付け部位１５ａ３は、第２の被取り付け部位１５ａ２よりも被取り付け部位１５ａの先端１５ａｅから離れて位置しており、被挟み厚さｔ２３が大きい。つまり、被挟み厚さは、ｔ２１＜ｔ２２＜ｔ２３の関係である。
【００６２】
該複数の被取り付け部位１５ａ１，１５ａ２，１５ａ３は、全体を段状又は連続した傾斜状に形成されている。
【００６３】
このため、被取付物１５に対する、一対の挟み込み部４２，４３の挟み込み深さＬ２１を変えることによって、該一対の挟み込み部４２，４３の開き角θ２１が変化する。該噴霧量調節機構５３は、該開き角θ２１に従って、噴霧量を自動的に調節する。従って、作業者は、被取付物１５に対する、一対の挟み込み部４２，４３の挟み込み深さＬ２１を変えるという、簡単な作業だけによって、噴霧量を容易に調節することができる。
【産業上の利用可能性】
【００６４】
本発明の散布ノズル装置３０及び被取付物１５は、耕耘機１０に採用するのに好適である。
【符号の説明】
【００６５】
１０    作業機（耕耘機）
１１    機体
１４    耕耘爪（作業部）
１５    被取付物（作業機の機体の一部、フェンダ）
１５ａ  被取り付け部位
１５ａｅ  被取付物の先端（被取り付け部位の先端）
１５ｂ  被取り付け部位
１５ｃ  被取り付け部位
３０    散布ノズル装置
４０    クリップ機構（鰐口クリップ）
４１    支点（軸）
４２    一方の挟み込み部
４２ａ  挟み込み面
４３    他方の挟み込み部
４３ａ  挟み込み面
５２    噴霧用ノズル
５３    噴霧量調節機構
Ｌ１１  挟み込み深さ
Ｌ１２  挟み込み深さ
Ｌ２１  挟み込み深さ
ｔ１    被挟み厚さ
ｔ２    被挟み厚さ
ｔ２１  第１の被取り付け部位の被挟み厚さ
ｔ２２  第２の被取り付け部位の被挟み厚さ
ｔ２３  第３の被取り付け部位の被挟み厚さ
θ１    開き角
θ２    開き角
θ２１  開き角
【図１】
2016063775.tif 000003
【図２】
2016063775.tif 000004
【図３】
2016063775.tif 000005
【図４】
2016063775.tif 000006
【図５】
2016063775.tif 000007
【図６】
2016063775.tif 000008